(57)【要約】      （修正有）【課題】動物病院内等に設置し、手術後の感染症動物からの感染を防止するためのペット院内感染防止ケースの清浄装置を提供する。【解決手段】ケース本体１には、内部に動物の収容スペース１２を設け、正面には、飼育室スライド式排気孔４を設けた開閉扉５を設け、背面側には、背面給気路８を設けると共に、その一方に吸入口６と内部に送風機９を設け、該送風機９よりの送気は、陽圧室Ａに隣接して除塵、除菌及び殺菌の役目を果す給気フィルター１０を装設し、該収容スペース１２の一方の側面給気往路１９には、整流パネル１１を位置し、他方の側面には、パンチングフィルター１３を装設し、該パンチングフィルター１３から収容スペース１２を連通して側面給気復路２０より戻り空気を濾過する戻りプレフィルター１４を経て循環する。  また、ケース本体の一方の側壁に側面給気往路１９に向かって陰圧操作のための調節式排気口２１を装設している。【選択図】図２
2005006618.tif 000002
【特許請求の範囲】
【請求項１】
ケース本体（１）は、大小各種の方形状を有し、内部に収容スペース（１２）を設け、該ケース本体（１）には、飼育室スライド式排気孔（４）を設けた開閉扉（５）を設けると共に、操作盤（２）と差圧計（３）を装設し、且つ該ケース本体（１）には、背面側に背面給気路（８）を設けると共に、その内部に送風機（９）、ダクト（１６）及び送風口（１７）を装設し、また、該ケース本体（１）は、上部の陽圧室（Ａ）の内部に清浄濾過する給気フィルター（１０）を設置し、且つ該収容ケース（１２）の一方に設けた側面給気往路（１９）の陽圧室（Ｂ）に均一の圧力を保つ整流パネル（１１）を立設し、また該収容ケース（１２）の他方の側面給気復路（２０）の手前にパンチングフィルター（１３）を立設し、該側面給気復路（２０）より汚染を排除する背面に設けた戻りプレフィルター（１４）を経て循環することを特徴とするペット院内感染防止ケースの清浄装置。
【請求項２】
ケース本体（１）には、内部に収容スペース（１２）を有し、該収容スペース（１２）には、飼育室スライド式排気孔（４）を設けた開閉扉（５）を設け、且つ該収容スペース（１２）には、一方に側面給気往路（１９）との陽圧室（Ｂ）、他方の側面給気復路（２０）とを形成し、該側面給気往路（１９）側の側壁には、陰圧構造を可能とする調節式排気口（２１）を装設し、該調節式排気口（２１）より排気された風量を減じた風量を該側面給気復路（２０）より送風機（９）に戻る循環方式によって該収容ケース（１２）内を陰圧としたことを特徴とするペット院内感染防止ケースの清浄装置。
【発明の詳細な説明】
【０００１】
【産業上の利用分野】
本発明は、現在使用中の動物病院内等に設置して手術後の動物や、体力の落ちたペットを、院内感染の恐れから除き、安心してオーナーの方々が来院してくれるペット病院を提供するためと、動物一時預りホテルに於いても、疾病動物と同一室に入室した場合も罹患の心配なく両者共に安心できるペット院内感染防止ケースの清浄装置に関するものである。
【０００２】
【従来の技術】
従来、この種の動物病院等においては、手術後等のペットは、病院内に個別のケージに入れられ、院内の汚染雰囲気の中に置かれて手術後の経過を観察するのが現状である。
更に、手術後の動物は体力が落ちているため、診察に来る動物相互間の汚染により院内感染の恐れが近年話題となっている現状である。そこで感染を防止をする清浄装置が必要となったものである。また、動物一時預りホテルに於いては、集合収容棚にケージに入った状態で並べられている現状である。
【０００３】
【発明が解決しようとする課題】
本発明は、従来の各問題点を解決するために、特に手術後のペットを院内感染から保護するためのもので、院内の汚染雰囲気の中でも本装置によって給気される空気は、殺菌性能を持つ給気用清浄濾過する給気フィルターによって、汚染物質を捕集のうえ天然酵素の溶菌作用により死滅させた清浄な空気を供給するものである。また、本装置内を陽圧または陰圧になるようにエアーバランスを取り循環する構造として院内感染の心配を防止した点にある。
【０００４】
【課題を解決するための手段】
本発明は、上記目的を達成するために、ケース本体を大小各種の方形状に形成し、スライド式排気孔を穿設した開閉扉を設けると共に、操作盤と差圧計を装設してある。該ケース本体の後方には、外気取込用の濾過装置を設けた吸入口と背面給気路に設けた送風機を設けると共に、上部に該送風機より除塵、除菌及び殺菌用の役目を果す清浄濾過する給気フィルターを装設してある。
そして、該給気フィルターよりの清浄空気を収容スペースの両側のフィルターを通過して側面給気路より背面に設けた戻りプレフィルターを経て循環するようにしたものである。
また、２ヶ所の飼育室排気孔（４）及び調節式排気口（２１）を操作して、陽圧室と陰圧室に切り替えるようにしたものである。
【０００５】
【作用】
本発明のペット院内感染防止ケースの清浄装置の用法を説明すると、手術後等で体力の落ちている動物は、開閉扉より収納スペース内に入れる。入れる前に操作盤（２）、差圧計（３）を作動させ、先ず吸入口（６）より室内空気を取り込むと同時に収容スペース（１２）の空気をパンチングフィルター（１３）より側面給気復路（２０）を経て背面の戻りリプレフィルター（１４）を通り、送風機（９）より陽圧室（Ａ）に設けた給気フィルター（１０）に送風する。この給気フィルター（１０）内において除塵、除菌及び殺菌する。この殺菌された清浄空気を一方の側面給気往路（１９）より整流パネル（１１）よりパネル面でパネル面全体の圧力が均一になった状態で収容スペース（１２）内へ給気するものである。この時、収容スペース（１２）の内部は陽圧となるようにパンチングフィルター（１３）の有効開口率の選定を調整する。また開閉扉（５）の飼育室スライド式排気孔（４）（４）により外部に排出される。以上のような機能を持った装置によって汚染雰囲気内であっても収容スペース外に排出されるため院内感染を防止する事ができる。なお、使用後は必ず内外の消毒を行う。
【０００６】
次に、感染症の動物の場合の用法を説明すると、ケース本体（１）の収容スペース（１２）における飼育室スライド式排気孔（４）（４）を閉鎖して外気の流入を防止し、側面給気往路（１９）の陽圧室（Ｂ）の側壁の調節式排気口（２１）を開口し、給気と排気のバランスを維持し、整流パネル（１１）を通過し、該収容スペース（１２）に流入し、陽圧室（Ｂ）に吹き込まれた風量から、該調節式排気口（２１）より排気された風量を減じた風量が、側面給気復路（２０）より送風機（９）に戻る循環方式より該収容スペース（１２）内の陰圧構造を可能としたものである。
【０００７】
【実施例】
次に、本発明の実施例を図面について説明すると、図１に示す、本発明装置の正面図であって、ケース本体（１）は、各パネルを組立製作するもので、大小各種の方形状より構成され正面の上方には、操作盤（２）と差圧計（３）とが配設されている。また、正面の下方中央には、所要数の飼育室スライド式排気孔（４）（４）…を穿設した無色透明の耐擦傷性を有する合成樹脂より形成した開閉扉（５）を装設してある。
【０００８】
図２に示す実施例は、図１の横断平面図を示すもので、ケース本体（１）には、側面の後方に給気用濾過をするプレフィルターよりなる外気の空気を室内に取り込む吸入口（６）を設けてある。次に、図３に示すように、背面に設けた背面給気路（８）には、内部に送風機（９）を設けると共に、該送風機（９）にはダクト（１６）を通じて送風口（１７）を設けてある。符号（１５）は、背面に設けたファンのメンテナンス口を示したものである。
【０００９】
更に、図３に示す、該ダクト（１６）の送風口（１７）よりの通気は、圧力が上がり陽圧室（Ａ）内に陽圧されて侵入する。該陽圧室（Ａ）には、内部に方形状を有する除塵、除菌及び殺菌用の給気用高清浄濾過作用を有する給気フィルター（１０）を装設してある。
次に、ペット等を収納する収容スペース（１２）は、図４に示す該陽圧室（Ａ）より矢印の如く側面給気往路（１９）の陽圧室（Ｂ）へ侵入し、清浄された空気は、整流パネル（１１）によって均一速度で該収容スペース（１２）内に給気し、内部を陽圧するように該開閉扉（５）に設けた飼育室スライド式排気孔（４）によって調整する。
【００１０】
次に、矢印のように該収容スペース（１２）内を通過する側面にパンチングフィルター（１３）を立設してある。該パンチングフィルター（１３）は、ペット等の獣毛の捕集を効果的に果すものである。
該パンチングフィルター（１３）を通過した陽圧空気は、該収容スペース（１２）より側面に設けてある側面給気復路（２０）に至り、図２の矢印の如く、該側面給気復路路（２０）より上部に設けてある粗い塵埃を取り除く濾過の役目を果す戻りプレフィルター（１４）を通り、背面給気路（８）内の送風機（９）内の室内に戻り循環する。符号（２２）はストッパー付のキャスターを示し、（７）は、照明蛍光灯を示したものである。
【００１１】
次に、図面に示す如く、感染症の動物の場合の構造を説明する。ケース本体（１）に於ける、開閉扉（５）の飼育スライド式排気孔（４）（４）を閉鎖し、ケース本体（１）の側壁に設けた側面給気往路（１９）に向かう。ここに調節式排気口（２１）を装設する。
そして、該調節式排気口（２１）より一部本装置外に排気することにより収容スペース（１２）内は、陰圧室化する背面給気路（８）に装設された該吸入口（６）等を陰圧とするよう調整するものである。
【００１２】
なお、ケース本体（１）は、パネル組立方法を採用し、内、外装を自由に選択し、内装をステンレス板張りとして消毒等を可能としている。
さらに、圧力が上がり、給気フィルター（１０）を通過する際に  ０．３μを超える塵埃、各種の細菌（枯草菌、ルテウス菌、表皮ブドウ球菌、ＭＲＳＡ、結核菌）を該給気フィルター（１０）が９９．９７％捕集殺菌することができる。更に、０．３μ以下のウィルスにあっては自己増殖をせず、宿主細胞内でしか生命活動出来ない。給気フィルター（１０）により宿主が生存しないので、増殖は不可能となる。
また、清浄、殺菌された空気は、陽圧室（Ｂ）に送り込まれ、整流パネル（１１）でパネル面でパネル面全体の圧力が均一になった状態で収容スペース（１２）に流れ込み、この収容スペース（１２）を陽圧に保つ為に、パンチングフィルター（１３）の有効開口率に選定し、戻りプレフィルター（１４）付の吸入口（６）の開口面積をダンパーにより調整するようになっている。
【００１３】
次に、該収容スペース（１２）の陽圧空気は、開閉扉（５）に穿設された円形の飼育室スライド式排気孔（４）により外部に排出されるために汚染された外気が、収容スペース（１２）に侵入する事はないため、院内感染の防止が可能となることである。
【００１４】
【発明の効果】
以上説明したように、本発明のペット院内感染防止ケースの清浄装置によれば、個別にペットを収容し、清浄給気と殺菌処理された空気を収容スペース内に陽圧給気するため、汚染雰囲気の中でも充分に院内感染すると云う心配のない効果と、本装置の設置する部屋は、クリーンルームの必要がなく、現在使用中の既設の診察室でも使用可能となると共に、自由に移動できると云う便利な効果がある。そして、ケース本体の側面の後方に設けた戻りプレフィルターの吸入口によって外部の空気を最初に濾過して取り入れ、送風機よりの送風を給気フィルターにより、空気中の除塵、除菌、殺菌等の役目を充分果し、雑菌増殖を完全に防止し、清浄な空気とする優れた効果がある。また、収容スペースの一方に設けた整流パネルは、清浄空気を均一な速度で収容スペース内に陽圧空気を循環して給気するため、汚染雰囲気の中でも充分に院内感染を防止すると云う優れた効果がある。
更に、上部の陽圧室と側面給気往路の陽圧室とをバランスを取るために側面給気往路に調節式排気口を設け、且つ収容スペースの開閉扉のスライド式排気孔と相互の操作により収容スペースの陰圧への切り替えが可能となって、感染症をもつ動物より、他の院内への感染を防止する効果もある。
【図面の簡単な説明】
【図１】本発明のケース本体の全体正面図である。
【図２】同じく本発明の図１の一部欠除した横断平面図である。
【図３】本発明の図２のＢ−Ｂ線の一部欠除した縦断側面図である。
【図４】同じく本発明の図２のＡ−Ａ線の一部欠除した縦断正面図である。
【符号の説明】
１          ケース本体
２          操作盤
３          差圧計
４          飼育室スライド式排気孔
５          開閉扉
６          吸入口
７          照明器具
８          背面給気路
９          送風機
１０        給気フィルター
１１        整流パネル
１２        収容スペース
１３        パンチングフィルター
１４        戻りプレフィルター
１５        メンテナンス口
１６        ダクト
１７        送風口
１８        フィルター本体
１９        側面給気往路
２０        側面給気復路
２１        調節式排気口
２２        キャスター
Ａ          陽圧室
Ｂ          陽圧室
【図１】
2005006618.tif 000003
【図２】
2005006618.tif 000004
【図３】
2005006618.tif 000005
【図４】
2005006618.tif 000006
【図５】
2005006618.tif 000007
【手続補正書】
【提出日】平成15年10月23日(2003.10.23)
【手続補正１】
【補正対象書類名】明細書
【補正対象項目名】図面の簡単な説明
【補正方法】変更
【補正の内容】
【図面の簡単な説明】
【図１】本発明のケース本体の全体正面図である。
【図２】同じく本発明の図１の一部欠除した横断平面図である。
【図３】本発明の図２のＢ−Ｂ線の一部欠除した縦断側面図である。
【図４】同じく本発明の図２のＡ−Ａ線の一部欠除した縦断正面図である。
【図５】本発明が使用する給気フィルターの斜面図である。
【符号の説明】
１          ケース本体
２          操作盤
３          差圧計
４          飼育室スライド式排気孔
５          開閉扉
６          吸入口
７          照明器具
８          背面給気路
９          送風機
１０        給気フィルター
１１        整流パネル
１２        収容スペース
１３        パンチングフィルター
１４        戻りプレフィルター
１５        メンテナンス口
１６        ダクト
１７        送風口
１８        フィルター本体
１９        側面給気往路
２０        側面給気復路
２１        調節式排気口
２２        キャスター
Ａ          陽圧室
Ｂ          陽圧室